(57)【特許請求の範囲】
【請求項１】
第１注射器（１００）と、
前記第１注射器（１００）に受容された全血を遠心分離するために前記第１注射器（１００）の第１排出部（１０４）に装着される遠心分離チューブ（２００）と、
前記遠心分離で前記第１注射器（１００）に採集された血漿を再び遠心分離するために前記第１注射器に装着されるキャップ（３００）と、
円筒形状であって両側にそれぞれ前記第１注射器及び第２注射器（１１０）が装着されるようにした一組の入口部（１２２）を持ち、中空のメンブレン（１２４）が内蔵された本体（１２１）とを備えており、
前記本体（１２１）内には、前記メンブレン（１２４）を通過した成分が収集される第１空間（１２５）を、前記本体（１２１）と前記メンブレン（１２４）との間に持つメンブレンフィルター（１２０）が形成されており、
遠心分離または再び遠心分離された前記血漿が第１注射器（１００）及び第２注射器（１１０）で一回または多数回往復流動しながら前記血漿内に受容された水または水を含んだ一定粒径以下の成分がメンブレン（１２４）によって排出されて高濃縮血漿が抽出され、
前記遠心分離チューブ（２００）の内部の上側内面には、赤血球の受容空間の体積を広げて受容量を増加させつつ遠心分離中に前記受容空間内の空気が排出されるように第１湾曲面（２２０）が形成され、且つ、前記第１排出部（１０４）において前記遠心分離チューブ（２００）が装着される装着部位よりも前記受容空間から離れた位置であって前記第１排出部（１０４）と前記遠心分離チューブ（２００）との間には、前記遠心分離チューブ（２００）の前記受容空間に受容された赤血球が表面張力によって凝集されて外部への流出を防止するための第１ギャップ（２１０）が形成されており、
前記キャップ（３００）の内部の上側内面には、赤血球の受容空間の体積を広げて受容量を増加させつつ遠心分離中に前記受容空間内の空気が排出されるように第２湾曲面（３２０）が形成され、且つ、前記第１排出部（１０４）において前記キャップ（３００）が装着される装着部位よりも前記受容空間から離れた位置であって前記第１排出部（１０４）と前記キャップ（３００）との間には、前記キャップ（３００）の前記受容空間に受容された赤血球が表面張力によって凝集されて外部への流出を防止するための第２ギャップ（３１０）が形成されていることを特徴とする全血から高濃縮血漿を抽出する装置。
【請求項２】
前記メンブレンフィルター（１２０）は、前記本体（１２１）の開放された両端部を閉鎖するように装着されかつ一面から突き出された固定部材（１２１ｂ）が前記メンブレン（１２４）を固定させるように形成された栓（１２１ａ）及び前記第１空間（１２５）と外部が通じるように前記本体（１２１）に形成された出口部（１２３）をさらに含んでおり、前記入口部（１２２）を通じて前記第１注射器（１００）及び第２注射器（１１０）で流動する血漿が前記栓（１２１ａ）を経てメンブレン（１２４）を通過することを特徴とする請求項１に記載の全血から高濃縮血漿を抽出する装置。
【請求項３】
前記メンブレンフィルター（１２０）は蛋白質を血漿に残存させるために４０，０００〜６０，０００ダルトン大きさの分子量を残留させることができるメッシュを持つことを特徴とする請求項１に記載の全血から高濃縮血漿を抽出する装置。
【請求項４】
前記全血は第１注射器（１００）、試験管、分離ゲルが含まれた試験管またはＰＲＰキットに受容されて遠心分離されることを特徴とする請求項１に記載の全血から高濃縮血漿を抽出する装置。
【請求項５】
第１注射器（１００）と、
前記第１注射器に受容された全血を遠心分離するために前記第１注射器に装着される遠心分離チューブ（２００）と、
前記第１注射器が装着されるように入口部（１２２）が形成された本体（１２１’）、及び、前記本体の内部の一部空間に内蔵されたメンブレン（１２４’）を含み、残余空間に第２空間（１２６）が形成されたメンブレンフィルター（１２０’）とを備えており、
前記第２空間（１２６）に流入された血漿の中で前記血漿内に受容された水または水を含んだ一定粒径以下の成分が前記メンブレン（１２４’）を通過して排出されて、前記メンブレン（１２４’）を通過することができなかった一定粒径以上の成分を含む高濃縮血漿が第２空間（１２６）に残存し、
前記メンブレンフィルター（１２０’）は、本体（１２１’）の上部に形成された入口部（１２２）と対向されるように下部に形成された出口部（１２３）、前記本体(１２１’)の内部上側に形成された第２空間（１２６）に残存する成分を外部で採集するために第２空間（１２６）が外部と通じるように形成された収集部（１２７）、及び、前記収集部（１２７）の外側端部を開閉するように装着された開閉部材（１２８）をさらに含むことを特徴とする血小板少量血漿から高濃縮血漿を抽出する装置。
【請求項６】
請求項５の装置を利用して全血から濃縮血漿を抽出する方法において、
第１注射器（１００）に全血を採集する第４０段階（Ｓ４０）と、
前記第１注射器に遠心分離チューブ（２００）を装着して、遠心分離する第４１段階（Ｓ４１）と、
前記遠心分離によって赤血球が受容された遠心分離チューブ（２００）を分離して前記第１注射器（１００）にバフィーコートが含まれた血漿を残存させる第４２段階（Ｓ４２）と、
メンブレンフィルター（１２０’）に形成された入口部（１２２）に前記第１注射器（１００）を装着する第４３段階（Ｓ４３）と、
圧力をかけて前記第１注射器（１００）内のバフィーコートが含まれた血漿をメンブレンフィルター（１２０’）に注入する第４４段階（Ｓ４４）と、
前記メンブレンフィルター（１２０’）に内蔵したメンブレン（１２４’）を通過することができなくて第２空間（１２６）に残存する一定粒径以上の成分を含む高濃縮血漿を別途採集する第４５段階（Ｓ４５）とを備えていることを特徴とする全血から高濃縮血漿を抽出する方法。
【請求項７】
前記第４５段階（Ｓ４５）で、前記第２空間（１２６）に残存する高濃縮血漿は前記入口部（１２２）または、前記第２空間（１２６）と外部が通じるようにメンブレンフィルター（１２０）に形成された収集部（１２７）を通じて外部に排出されて採集されることを特徴とする請求項６に記載の全血から高濃縮血漿を抽出する方法。
【発明の詳細な説明】
【技術分野】
【０００１】
本発明は全血から高濃縮血漿を抽出することに関することで、より詳しくは全血で分離して採集された血漿をメンブレンフィルターに通過させて高濃度の濃縮血漿を抽出するようになった全血から高濃縮血漿を抽出する装置及び方法に関する。
【背景技術】
【０００２】
一般的に、全血（whole blood）は大きく血球（blood corpuscle）と血漿（plasma）に分けられる。ここで、血球は赤血球、白血球及び血小板で成り立って、血漿は主に水分で成り立ち、その他に血液凝固因子及び電解質などが含まれている。
【０００３】
血漿に対して詳しく説明すると、血漿は水９１％、蛋白質７％、脂肪１％、糖質０．１％及び他無機質イオン０．９％で形成されている。ここで、血漿の蛋白質は硫酸アンモニウムに対する溶解度の差を利用してアルブミンとクルロブルリンを区分することができるし、これらはそれぞれいくつかの蛋白質が混ざり合って形成されている。
【０００４】
ここで、アルブミンは蛋白質で概略５５％程度を占めて、主に蛋白質の供給とコロイド浸透圧維持に重要な役割をする。また、クルロブルリンは蛋白質で概略３８％程度を占めて、これは再びα、β及びγの３種類で分けることができる。α‐クルロブルリンはリポプロテイン(lipoprotein)及び糖蛋白質を含有して、ビタミン及びホルモンなどの運搬に利用されて、β-クルロブルリンはプロトロンビン、血漿トロンボプラスチン、鉄及び銅成分などを運んで、γ-クルロブルリンには主に免疫抗体が含まれている。
【０００５】
このように、血液内で重要な役割をする血漿は人体に注入することだけでも栄養供給を活発にしながら有害物質を抑制するなどの役割を最大化することができる。従って、図１のように、全血（Ｗｂ）から遠心分離過程を通じて赤血球層(Red Blood Cell;RBC)、血小板濃縮血漿(Platelet Rich Plasma;PRP)及び血小板少量血漿(Platelet Poor Plasma;PPP)で分離して、血小板濃縮血漿（ＰＲＰ）と血小板少量血漿（ＰＰＰ）をそれぞれ採取する。
【０００６】
一例として１０ｍｌの全血（Ｗｂ）に対して概略２．５ｍｌ程度の血小板濃縮血漿（ＰＲＰ）と概略２．５ｍｌ程度の血小板少量血漿（ＰＰＰ）を得ることができた。ここで、血小板濃縮血漿（ＰＲＰ）は上顎洞底挙上術(sinus elevation)を含んだインプラントの傷治療、心臓手術、整形手術、皮膚医学などを含んだ様々治療及び美容分野に利用される。
【０００７】
このとき、血小板少量血漿（ＰＰＰ）は全血（Ｗｂ）から分離採取されながらそこまで分離することが出来なかった少量の血小板と蛋白質などを含有している。この血小板少量血漿（ＰＰＰ）は血小板濃縮血漿（ＰＲＰ）施術後マッサージ材料で使ったり廃棄する。
【０００８】
そして、従来の方式で製造された血小板濃縮血漿（ＰＲＰ）には血小板が高濃度で濃縮されるが、血漿は２倍程度しか濃縮されないという短所がある。従って、全血に含まれた成分の中赤血球を除いて、血小板だけでなく血漿などを濃縮する必要性がある。このために従来には血小板少量血漿（ＰＰＰ）から再び血漿を再抽出するためにフィルタリング過程を遂行したり遠心分離過程を通じて単純に血漿だけを濃縮する方法が使われている。
【０００９】
しかし、血小板少量血漿（ＰＰＰ）から再抽出された血小板濃縮血漿は血小板の濃度が高くないとの問題点がある。また、このような低濃度血小板が含まれた濃縮血漿を得るための従来の装置及び方法に対する低い効率性に対しても問題がある（例えば、特許文献１，２を参照）。
【先行技術文献】
【特許文献】
【００１０】
【特許文献１】韓国特許 １０−２０１０−００４１４３６号公開公報
【特許文献２】韓国特許 １０−２０１０−０１１６１０６ 号公開公報
【発明の概要】
【発明が解決しようとする課題】
【００１１】
前記のような問題点を解決するために案出された本発明の目的は、全血で遠心分離した後赤血球を排出して採集された血漿に対してバフィーコート(buffy coat )が存在、又は、存在しない場合を区分してメンブレンフィルターに通過させることによって、簡単なフィルタリング過程を通じて血漿から白血球の存在有無を区分した高濃度の濃縮血漿を抽出して、採集された濃縮血漿の中には高濃度の血小板が含まれるようにした全血から高濃縮血漿を抽出する装置及び方法を提供することにある。
【００１２】
また、本発明のほかの目的は全血で遠心分離から採集された赤血球が除去された血漿を直接あるいは再度遠心分離した後メンブレンフィルターに通過させることによって、高濃度の濃縮血漿を抽出できるようにした全血から高濃縮血漿を抽出する装置と方法を提供することにある。
【課題を解決するための手段】
【００１３】
本発明の全血から高濃縮血漿を抽出する装置は、第１注射器（１００）と、前記第１注射器（１００）に受容された全血を遠心分離するために前記第１注射器（１００）の第１排出部（１０４）に装着される遠心分離チューブ（２００）と、前記遠心分離で前記第１注射器（１００）に採集された血漿を再び遠心分離するために前記第１注射器に装着されるキャップ（３００）と、円筒形状であって両側にそれぞれ前記第１注射器及び第２注射器（１１０）が装着されるようにした一組の入口部（１２２）を持ち、中空のメンブレン（１２４）が内蔵された本体（１２１）とを備えており、前記本体（１２１）内には、前記メンブレン（１２４）を通過した成分が収集される第１空間（１２５）を、前記本体（１２１）と前記メンブレン（１２４）との間に持つメンブレンフィルター（１２０）が形成されており、遠心分離または再び遠心分離された前記血漿が第１注射器（１００）及び第２注射器（１１０）で一回または多数回往復流動しながら前記血漿内に受容された水または水を含んだ一定粒径以下の成分がメンブレン（１２４）によって排出されて高濃縮血漿が抽出され、前記遠心分離チューブ（２００）の内部の上側内面には、赤血球の受容空間の体積を広げて受容量を増加させつつ遠心分離中に前記受容空間内の空気が排出されるように第１湾曲面（２２０）が形成され、且つ、前記第１排出部（１０４）において前記遠心分離チューブ（２００）が装着される装着部位よりも前記受容空間から離れた位置であって前記第１排出部（１０４）と前記遠心分離チューブ（２００）との間には、前記遠心分離チューブ（２００）の前記受容空間に受容された赤血球が表面張力によって凝集されて外部への流出を防止するための第１ギャップ（２１０）が形成されており、前記キャップ（３００）の内部の上側内面には、赤血球の受容空間の体積を広げて受容量を増加させつつ遠心分離中に前記受容空間内の空気が排出されるように第２湾曲面（３２０）が形成され、且つ、前記第１排出部（１０４）において前記キャップ（３００）が装着される装着部位よりも前記受容空間から離れた位置であって前記第１排出部（１０４）と前記キャップ（３００）との間には、前記キャップ（３００）の前記受容空間に受容された赤血球が表面張力によって凝集されて外部への流出を防止するための第２ギャップ（３１０）が形成されている。
前記目的を達成するための本発明の第１実施例による全血から高濃縮血漿を抽出する装置は、第１注射器と、第１注射器に受容された全血を遠心分離するために第１注射器に装着される遠心分離チューブと、遠心分離で第１注射器に採集された血漿を再度遠心分離するために第１注射器に装着されるキャップ及び円筒形状であり両側にそれぞれ第１注射器及び第２注射器が装着されるようにした一組の入口部を持つ本体と、本体に内蔵された中空のメンブレン、及び、本体とメンブレンの間に形成されてメンブレンを通過した成分が収集される第１空間を持つメンブレンフィルターが含まれて成り立って、遠心分離または再度遠心分離された血漿が第１注射器及び第２注射器で一回又は多数回往復流動しながら血漿内に受容された水又は水を含んだ一定粒径以下の成分がメンブレンによって排出されて高濃縮血漿が抽出されることを特徴とする。
【００１４】
ここで、メンブレンフィルターは本体の開放された両断部を閉鎖するように装着されつつ一面から突出した固定部材がメンブレンを固定させるように形成された栓、及び、第１空間と外部を通じるように本体に形成された出口部をさらに含んで、入口部を通じて第１注射器及び第２注射器で流動する血漿が栓をすぎてメンブレンを通過することを特徴とする。
【００１５】
また、遠心分離チューブで、内部の上側内面には赤血球を受容する空間の体積を広げて受け入れ量を増加させつつ遠心分離のうちに受容空間内の空気が排出されるように第１湾曲面が形成されて、第１排出部との装着部位には遠心分離チューブに受容された赤血球が表面張力によって凝集された外部での流出を防止するための第１ギャップが形成されるし、キャップで、内部の上側内面には赤血球を受容する空間の体積を広げて受け入れ量を増加させつつ遠心分離のうちに受容空間内の空気が排出されるように第２湾曲面が形成されて、第１排出部との装着部位にはキャップに受容された赤血球が表面張力によって凝集して外部での流出を防止するための第２ギャップが形成されたことを特徴とする。
【００１６】
また、メンブレンフィルターは血漿のうちの水と、水に溶けてある尿酸及びカリウムなどを排出させて、アルブミンなど有効な物質を血漿に残存させるためにアルブミンの分子量である６６、０００ダルトン(dalton)より小さい４０，０００〜６０，０００ダルトンの分子量を残留させることができるメッシュを持つのを特徴とする。
【００１７】
そして、全血は第１注射器、試験管、分離ゲルが含まれた試験管又はＰＲＰキットに受容されて遠心分離されることを特徴とする。
【００１８】
一方、本発明による装置を利用して全血から高濃縮血漿を抽出する方法において、第１注射器に全血を採集する第１０段階と、第１注射器に遠心分離チューブを装着して、遠心分離する第１１段階（Ｓ１１）と、遠心分離によって赤血球が受容された遠心分離チューブを分離する第１２段階（Ｓ１２）と、第１注射器に残存するバフィーコートを押し出して第１注射器に血漿だけ残存させる第１３段階(Ｓ１３)と、メンブレンフィルターに形成された一組の入口部にそれぞれ第１注射器及び第２注射器を装着する第１４段階（Ｓ１４）と、圧力を加えて第１注射器内の血漿をメンブレンフィルターに注入して第２注射器で流動させる第１５段階（Ｓ１５）と、第２注射器に受容された血漿を再びメンブレンフィルターに注入して第１注射器で流動させる第１６段階（Ｓ１６）と、第１５段階（Ｓ１５）及び第１６段階（Ｓ１６）を繰り返す第１７段階（Ｓ１７）と、及びメンブレンフィルターに内蔵されたメンブレンを通過できなくて、メンブレンの内部である中空に残存する一定粒径を超過する成分を含む高濃縮血漿を別途採集する第１８段階（Ｓ１８）が含まれて成り立つことを特徴とする。
【００１９】
また、本発明による装置を利用して全血から高濃縮血漿を抽出する方法において、第１注射器に全血を採集する第２０段階（Ｓ２０）と、第１注射器に遠心分離チューブを装着して、遠心分離する第２１段階（Ｓ２１）と、遠心分離によって赤血球が受容された遠心分離チューブを分離して第１注射器にバフィーコートが含まれた血漿を残存させる第２２段階（Ｓ２２）と、メンブレンフィルターに形成された一組の入口部にそれぞれ第１注射器及び第２注射器を装着する第２３段階（Ｓ２３）と、圧力を加えて第１注射器内のバフィーコートが含まれた血漿をメンブレンフィルターに注入して第２注射器で流動させる第２４段階（Ｓ２４）と、第２注射器に受容されたバフィーコートが含まれた血漿を再びメンブレンフィルターに注入して第１注射器で流動させる第２５段階（Ｓ２５）と、第２４段階（Ｓ２４）及び第２５段階（Ｓ２５）を繰り返す第２６段階（Ｓ２６）及びメンブレンフィルターに内蔵されたメンブレンを通過できなくて、メンブレンの内部である中空に残存する一定粒径を超過する成分を含む高濃縮血漿を別途採集する第２７段階（Ｓ２７）が含まれて成り立つことを特徴とする。
【００２０】
また、本発明による装置を利用して全血から濃縮血漿を抽出する方法において、第１注射器に全血を採集する第３０段階（Ｓ３０）と、第１注射器に遠心分離チューブを装着して、遠心分離する第３１段階（Ｓ３１）と、遠心分離によって赤血球が受容された遠心分離チューブを分離して第１注射器にバフィーコートが含まれた血漿を残存させる第３２段階（Ｓ３２）と、第１注射器にキャップを装着して、再び遠心分離をする第３３段階（Ｓ３３）と、再度遠心分離によって赤血球が受容されたキャップを分離する第３４段階（Ｓ３４）と、メンブレンフィルターに形成された一組の入口部にそれぞれ第１注射器及び第２注射器を装着する第３５段階（Ｓ３５）と、圧力を加えて第１注射器内の濃縮血漿をメンブレンフィルターに注入して第２注射器で流動させる第３６段階（Ｓ３６）と、第２注射器に受容された濃縮血漿を再びメンブレンフィルターに注入して第１注射器で流動させる第３７段階（Ｓ３７）と、第３６段階（３６）及び第３７段階（Ｓ３７）を繰り返す第３８段階（Ｓ３８）及びメンブレンフィルターに内蔵されたメンブレンを通過できなくて、メンブレンの内部である中空に残存する一定粒径を超過する成分を含む高濃縮血漿を別途採集する第３９段階（Ｓ３９）が含まれて成り立つことを特徴とする。
【００２１】
本発明の血小板少量血漿から高濃縮血漿を抽出する装置は、第１注射器（１００）と、前記第１注射器に受容された全血を遠心分離するために前記第１注射器に装着される遠心分離チューブ（２００）と、前記第１注射器が装着されるように入口部（１２２）が形成された本体（１２１’）、及び、前記本体の内部の一部空間に内蔵されたメンブレン（１２４’）を含み、残余空間に第２空間（１２６）が形成されたメンブレンフィルター（１２０’）とを備えており、前記第２空間（１２６）に流入された血漿の中で前記血漿内に受容された水または水を含んだ一定粒径以下の成分が前記メンブレン（１２４’）を通過して排出されて、前記メンブレン（１２４’）を通過することができなかった一定粒径以上の成分を含む高濃縮血漿が第２空間（１２６）に残存し、前記メンブレンフィルター（１２０’）は、本体（１２１’）の上部に形成された入口部（１２２）と対向されるように下部に形成された出口部（１２３）、前記本体(１２１’)の内部上側に形成された第２空間（１２６）に残存する成分を外部で採集するために第２空間（１２６）が外部と通じるように形成された収集部（１２７）、及び、前記収集部（１２７）の外側端部を開閉するように装着された開閉部材（１２８）をさらに含む。
一方、本発明よる変形されたメンブレンフィルターが含まれた装置を利用して全血から高濃縮血漿を抽出するための装置において、第１注射器と、第１注射器に受容された全血を遠心分離するために第１注射器に装着される遠心分離チューブと、第１注射器が装着されるように入口部が形成された本体及び、本体の内部の一部空間にメンブレンが内蔵されて、残余空間に第２空間が形成されたメンブレンフィルターが含まれて成り立って、第２空間に流入した血漿のうちで血漿内に受容された水または、水を含んだ一定粒径以下の成分がメンブレンを通過して排出されて、メンブレンを通過することが出来なかった一定粒径以上の成分を含む高濃縮血漿が第２空間に残存することを特徴とする。
【００２２】
ここで、メンブレンフィルターは本体の上部に形成された入口部と対向されるように下部に形成された出口部、本体の内部上側に形成された第２空間に残存する成分を外部で採集するために第２空間が外部と通じるように形成された収集部及び、収集部の外側端部を開閉するように装着された開閉部材がさらに含まれて成り立つことを特徴とする。
【００２３】
一方、変形されたメンブレンフィルターが含まれた装置を利用して全血から濃縮血漿を抽出する方法において、第１注射器に全血を採集する第４０段階（Ｓ４０）と、第１注射器に遠心分離チューブを装着して、遠心分離する第４１段階（Ｓ４１）と、遠心分離によって赤血球が受容された遠心分離チューブを分離して第１注射器にバフィーコートが含まれた血漿を残存させる第４２段階（Ｓ４２）と、メンブレンフィルターに形成された入口部に第１注射器を装着する第４３段階（Ｓ４３）と、圧力を加えて第１注射器内のバフィーコートが含まれた血漿をメンブレンフィルターに注入する第４４段階（Ｓ４４）及びメンブレンフィルターに内蔵されたメンブレンを通過できなくて第２空間に残存する一定粒径以上の成分を含む高濃縮血漿を別途採集する第４５段階（Ｓ４５）が含まれて成り立つことを特徴とする。
【００２４】
そして、第４５段階（Ｓ４５）で、第２空間に残存する高濃縮血漿は入口部または、第２空間と外部が通じるようにメンブレンフィルターに形成された収集部を通じて外部で排出されて採集されるのを特徴とする。
【発明の効果】
【００２５】
本発明によれば全血が受容された注射器、ＰＲＰキット又は、試験管または分離ゲルが含まれた試験管を遠心分離してＰＲＰ及びＰＰＰを採集したり、赤血球を排出して採集された血漿を持つメンブレンフィルターに通過させることによって、血漿、濃縮血小板、蛋白質及び繊維素(fibrin)等を含んだ高濃度の濃縮血漿を簡単かつ単純な工程で早期に抽出できる効果がある。
【００２６】
また、全血から採集された血漿でメンブレンフィルターを利用して水と尿酸などを分離することによって、アルブミン、クルロブルリンなどを含んだ有益な成分は残存させて、血小板少量血漿内の血漿濃度より少なくても４倍以上の濃度を持つ高濃度の濃縮血漿を得ることができる効果がある。
【００２７】
また、全血を遠心分離した状態でバフィーコートが除去された血漿または、バフィーコートが含まれた血漿を選択して採集した状態でメンブレンフィルターに通過させることによって、白血球が存在、または存在しない高濃度の濃縮血漿を得ることができる効果がある。
【００２８】
また、全血を遠心分離して残存するバフィーコートが含まれた血漿を再度遠心分離して微量の赤血球を再び除去した後メンブレンフィルターを通過させることによって、濃厚な黄色の高濃度の濃縮血漿を得ることができる効果がある。 また、単純なフィルタリング工程だけで高濃度の濃縮血漿を採集できるので多様な種類の濃縮血漿を得ることができて、従来の血小板濃縮血漿（ＰＲＰ）及び濃縮血漿を採集するための遠心分離及びフィルタリング工程より単純化されて、時間及び質的面で効率性が向上する効果がある。
【図面の簡単な説明】
【００２９】
【図１】一般的に全血が遠心分離された状態が図示された側面図である。
【図２】本発明の望ましい実施例による全血から高濃縮血漿を抽出する装置中遠心分離をするための注射器と遠心分離チューブが概略的に図示された側断面図である。
【図３】図２の高濃縮血漿を抽出するための装置中注射器とメンブレンフィルターが概略的に図示された側断面図である。
【図４】図３に図示されたメンブレンが図示された側面図である。
【図５】図２の高濃縮血漿を抽出するための装置中注射器とキャップが概略的に図示された側断面図である。
【図６】図２の装置を利用した高濃縮血漿を抽出する方法が概略的に図示された流れ図である。
【図７】図２の装置を利用した高濃縮血漿を抽出する他の方法が概略的に図示された流れ図である。
【図８】図２及び図５の装置を利用した高濃縮血漿を抽出する方法が概略的に図示された流れ図である。
【図９】図３に図示されたメンブレンフィルターの実施例が概略的に図示された側断面図である。
【図１０】図９の装置を利用した高濃縮血漿を抽出する方法が概略的に図示された流れ図である。
【発明を実施するための形態】
【００３０】
以下では添付された図面を参照して本発明が属する技術分野で通常の知識を持った者が本発明を簡単に実施することができるように望ましい実施例を詳しく説明する。ただし、本発明の望ましい実施例に対する動作原理を詳細に説明するということにあって関連した公知機能または、構成に対する具体積な説明が不必要だと判断される場合にはその詳細な説明を省略する。
【００３１】
＜構成＞
本発明の望ましい実施例による全血から高濃縮血漿を抽出する装置に対し添付された図面を参照して詳しく説明する。
【００３２】
図２は本発明の望ましい実施例による全血から高濃縮血漿を抽出する装置中遠心分離のための注射器と遠心分離チューブが概略的に図示された側断面図で、図３は図２の高濃縮血漿を抽出するための装置中注射器とメンブレンフィルターが概略的に図示された側断面図で、図４は図３に図示されたメンブレンが図示された側面図であり、図５は図２の高濃縮血漿を抽出するための装置中注射器とキャップが概略的に図示された側断面図である。
【００３３】
本発明による別の抽出装置は図２ないし図５に図示された通り、第１注射器（１００）、第２注射器（１１０）、メンブレンフィルター（１２０）、遠心分離チューブ（２００）及びキャップ（３００）が含まれて成り立つ。
【００３４】
先ず、図２及び図３のように、第１、２注射器（１００、１１０）は第１、２シリンダー（１０１、１１１）、第１、２ゴムパッキング(１０２、１１２)、第１，２プランジャー（１０３、１１３）及び注射針（図示せみ）を含んで成り立って、以下では説明上注射針が除去された状態を図面に図示して説明する。
【００３５】
第１注射器（１００）は全血(Whole Blood;Wb)を採集して 受容する部材である。この第１注射器の第１排出部（１０４）には１次遠心分離のために遠心分離チューブ（２００）が装着される。また、第１排出部（１０４）には１次遠心分離後微量の赤血球を除去するための２次遠心分離のためにキャップ（３００）が装着されて、特に血漿をフィルタリングするためのメンブレンフィルター（１２０）の一組の入口部（１２２）の中一側入口部（１２２）に装着される。
【００３６】
また、第１注射器（１００）には全血（Ｗｂ）が受容された状態で、図２のように第１ゴムパッキング（１０２）及び第１プランジャー（１０３）が第１排出部（１０４）から後方に押されて位置する。このとき、第１注射器（１００）を１次遠心分離させるために第１排出部（１０４）に遠心分離チューブ（２００）が装着される。
【００３７】
また、１次遠心分離された以後赤血球が受容された遠心分離チューブ（２００）が分離されて、第１注射器（１００）に採集された血漿とバフィーコート(buffy coat)に対してバフィーコートを排出する場合、第１注射器（１００）の第１プランジャー（１０３）を利用してバフィーコートをドロップ（ｄｒｏｐ）させる。
【００３８】
また、第１注射器（１００）に受容された血漿（または、血漿とバフィーコート）がメンブレンフィルター（１２０）を通過できるように第１排出部（１０４）はメンブレンフィルターの一組の入口部（１２２）中一側入口部（１２２）に装着される。
【００３９】
そして、血漿（または、血漿とバフィーコート）が受容された状態の第１注射器（１００）には一定量の空気（Ａ）が受容される。空気（Ａ）はメンブレンフィルター（１２０）を通過する血漿が第２注射器（１１０）で円滑に流入できるようにするためである。一例で、血漿と空気（Ａ）は概略１：１の割合で第１注射器に受容されることが望ましくて、その他にも血漿が第１注射器で第２注射器で完全に流動されることができるほどの空気量を調節して受容することができる。
【００４０】
ここで、第１注射器（１００）は全血を受け入れて、この全血を遠心分離させるための道具で、この第１注射器を代って通常の試験管、分離ゲルが含まれた試験管またはＰＲＰキットを使うことができる。これは、全血を遠心分離するにあたって、どれか一つの道具や方式に関係しないで、多様な道具と方式で遂行できるということである。
【００４１】
第２注射器（１１０）は第１注射器（１００）から排出されてメンブレンフィルター（１２０）を通過した血漿が受容される部材である。この第２注射器の第２排出部（１１４）がメンブレンフィルターの一組の入口部（１２２）中他側の入口部（１２２）に装着される。このとき、第２注射器は血小板少量血漿（ＰＰＰ）を受容するための状態で、図３のように第２ゴムパッキング（１１２）及び第２プランジャー（１１３）が第２排出部（１１４）側に位置する。
【００４２】
従って、第１注射器（１００）の第１プランジャー（１０３）を下方に加圧すれば、血漿がメンブレンフィルター（１２０）を過ぎて第２注射器（１１０）に流入しながら第２プランジャー（１１３）が後方に押されるように第１、２注射器（１００、１１０）が相互動作するように設置される。以後、第２プランジャー（１１３）を加圧して第２注射器（１１０）に受容された血漿が第１注射器で流動して再受容されるのは当然である。
【００４３】
従って、第１プランジャー（１０３）と第２プランジャー（１１３）をかわるがわる加圧することになれば血漿が往復流動しながらメンブレンフィルターを過ぎることになって、このような過程を通じて血漿から水、尿酸、カリウム及び燐酸塩などを含んだ一定粒径以下の成分が分離される。もちろん、今後一定粒径以下の成分を除いて残った蛋白質及びアルブミンなどの一定粒径を超過する成分が含まれた血漿は第１注射器または、第２注射器に収集される。
【００４４】
メンブレンフィルター（１２０）は本体（１２１）と、２個の入口部（１２２）と、出口部（１２３）と、メンブレン（１２４）及び第１空間（１２５）が含まれて成り立つ。このメンブレンフィルターはメッシュ(mesh)の大きさを調整して血漿から水または、水、尿酸、カリウム及び燐酸塩などを含んだ一定粒径以下の成分を分離して、一部含まれた蛋白質及びアルブミンなどを含んだ一定粒径を超過する成分である有益な成分を残留させて血漿に含ませるための部材として、血液透析用メンブレンフィルターを利用したりこれを変形または、応用して製作することができる。
【００４５】
先に、本体（１２１）は概略円筒形状で、内部にメンブレン（１２４）が内蔵されて、両側部にそれぞれ形成された入口部（１２２）と通じるように栓（１２１ａ）が装着されて成り立つ。即ち、入口部を通じて流動する血漿が栓（１２１ａ）を過ぎてメンブレンを通過するように設置される。
【００４６】
このとき、図３と一緒に栓（１２１ａ）の一面から突出した固定部材（１２１ｂ）はメンブレン（１２４）の中空に挟まれて、これを通じてメンブレンが固定される。
【００４７】
また、入口部（１２２）は一組で成り立って、本体（１２１）の両側部にそれぞれ第１注射器（１００）と第２注射器（１１０）が同じ方向で装着されるように形成される。もちろん、入口部（１２２）は本体（１２１）から上向きで形成されることが望ましい。
【００４８】
また、出口部（１２３）はメンブレンを通過しつつ血漿から分離された水または、水、尿酸、カリウム及び燐酸塩などを含んだ一定粒径以下の成分が外部で排出されるように本体（１２１）から下方で形成される。このとき、出口部（１２３）は一つまたは、多数が形成されることができて、本体（１２１）の両側部にそれぞれ一つずつ形成されることが望ましい。
【００４９】
また、メンブレン（１２４）は血漿から一部含まれた蛋白質及びアルブミンなどを含んだ濃縮血漿を抽出するための部材で、図４のように中空の円筒形状であり、血漿が中空について流動することができるように本体（１２１）に内蔵される。
【００５０】
ここで、メンブレン（１２４）は内径が２００〜３００μｍで、厚さが４０〜５０μｍである原形形態で、約５０〜１０００個のメンブレンファイバーがフィルター本体に内蔵されて、有効断面積は概略０．０１ｍ２〜０．０１４ｍ２程度が望ましい。より望ましくはアルブミンの分子量である６６、０００ダルトン（ｄａｌｔｏｎ）より小さい４０，０００〜６０，０００ダルトンの分子量を持つ物質を残留させることができるメッシュを持つことが望ましい。ここで、メンブレンは血液透析用メンブレンであることが望ましい。
【００５１】
そして、第１空間（１２５）は本体（１２１）の内面とメンブレン（１２４）の外面の間に一定の間隔で形成される。この第１空間（１２５）はメンブレン（１２４）を貫いて排出された一定粒径以下の成分が収集されて、出口部（１２３）で円滑に流動することができるようにするために形成され。
【００５２】
遠心分離チューブ（２００）は第１注射器（１００）の第１排出部（１０４）に装着されて、全血を１次遠心分離して採集された赤血球（ＲＢＣ）を受容する部材として、１次遠心分離以後第１排出部（１０４）から分離する。すなわち、遠心分離チューブ（２００）は１次遠心分離のために第１注射器（１００）に装着されて第１注射器（１００）をメンブレンフィルター（１２０）に装着させる以前に分離する。
【００５３】
ここで、遠心分離チューブ（２００）で内部の上側内面は赤血球（ＲＢＣ）を受容する空間の体積を広げて受容量を増加させて、１次遠心分離のうちに内部空間内の空気が停滞されなくて全部外部に抜け出られるように第１湾曲面（２２０）が形成される。また、第１排出部（１０４）との装着部位には第１ギャップ（２１０）が形成されて、この第１ギャップは遠心分離チューブに受容された赤血球（ＲＢＣ）が表面張力によって凝集して外部に流出されるのを防止する。
【００５４】
キャップ（３００）は１次遠心分離以後２次遠心分離が要求されるとき第１注射器（１００）の第１排出部（１０４）に装着されて、２次遠心分離で採集された赤血球（ＲＢＣ）を受容する部材である。また、このキャップは１次遠心分離以後血漿に残留する微量の赤血球を除去するときに使うために第１排出部（１０４）に装着される部材である。ここで、バフィーコートをドロップさせるときにキャップ（３００）を使えないこともある。
【００５５】
また、キャップ（３００）で内部の上側内面は赤血球（ＲＢＣ）を受容する空間の体積を広げて受容量を増加させて、遠心分離のうちに内部空間内の空気が停滞されなくて全部外部に抜け出られるように第２湾曲面（３２０）が形成される。そして、第１排出部（１０４）との装着部位には第２ギャップ（３１０）が形成されて、この第２ギャップはキャップに受容された赤血球（ＲＢＣ）が表面張力によって凝集して外部に流出されるのを防止する。
【００５６】
＜方法１＞
本発明により全血を１次遠心分離してバフィーコートと赤血球を分離して、第１注射器に採集された血漿をメンブレンフィルターに通過させて高濃縮血漿を抽出する方法に対し添付された図面を参照して詳しく説明する。
【００５７】
図６は図２の装置を利用した高濃縮血漿を抽出する方法が概略的に図示された流れ図である。 
【００５８】
先に、第１注射器（１００）に全血を採集する（Ｓ１０）。次に、第１注射器に遠心分離チューブ（２００）を装着して、遠心分離する（Ｓ１１）。 第１注射器の第１排出部（１０４）に遠心分離チューブを装着して、第１注射器と遠心分離チューブを遠心分離する。これを通じて全血を赤血球（ＲＢＣ）、バフィーコートを含んだ血小板濃縮血漿（ＰＲＰ）及び血小板少量血漿（ＰＰＰ）の層に区分される。このとき、赤血球は遠心分離チューブに受容される。
【００５９】
ここで、遠心分離チューブの内部受容空間は全血から区分される赤血球の量を考慮して形成される。すなわち、赤血球は遠心分離チューブに受容されて、第１注射器（１００）の第１排出部（１０４）部位にはバフィーコートが位置することになる。
【００６０】
次に、赤血球が受容された遠心分離チューブ（２００）を分離する（Ｓ１２）。 遠心分離以後赤血球は遠心分離チューブに受容された状態で、この遠心分離チューブを第１注射器（１００）から分離する。したがって、第１注射器にはバフィーコートを含んだ血漿が採集された状態である。
【００６１】
次に、バフィーコートをドロップして第１注射器（１００）に血漿だけ残存させる（Ｓ１３）。ここで、遠心分離チューブ（２００）を分離すれば第１注射器の第１排出部（１０４）部位である最下部にはバフィーコートが位置することになって、このバフィーコートを第１プランジャー（１０３）を利用してドロップさせて第１注射器（１００）には血漿だけ残存するようにする。
【００６２】
次に、メンブレンフィルター（１２０）に形成された一組の入口部（１２２）にそれぞれ第１注射器（１００）及び第２注射器（１１０）を装着する（Ｓ１４）。このとき、メンブレンフィルターの一側入口部（１２２）に第１注射器の第１排出部（１０４）を装着して、メンブレンフィルターの他方入口部（１２２）に第２注射器の第２排出部（１１４）を装着する。
【００６３】
次に、圧力を加えて第１注射器（１００）内の血漿をメンブレンフィルター（１２０）に注入して第２注射器（１１０）で流動させる（Ｓ１５）。ここで、メンブレンフィルターに流入した血漿はメンブレン（１２４）の中空の部分をすぎて流動することになる。
【００６４】
このとき、血漿から水または、水、尿酸、カリウム及び燐酸塩などを含んだ一定粒径以下の成分と、蛋白質及びアルブミンなどを含んだ一定粒径を超過する成分を分離する。すなわち、一定粒径以下の成分は第１空間（１２５）に収集された後出口部（１２３）を通じて外部で排出されて、一定粒径以上の成分は血漿に残存して第２注射器（１１０）で流動することになる。
【００６５】
次に、第２注射器に受容された血漿を再びメンブレンフィルター（１２０）に注入して第１注射器（１００）で流動させる（Ｓ１６）。もちろん、この過程でも前記の段階（Ｓ１５）と同じ作用が繰り返される。ここで、メンブレン（１２４）のメッシュは４０，０００〜６０，０００ダルトンにして、この大きさのメッシュを通じて６６、０００ダルトンの分子の大きさのアルブミンが血漿に残存するようにする。
【００６６】
メンブレン（１２４）は内径が２００〜３００μｍで、厚さが４０〜５０μｍである原形形態で、約５０〜１０００個のメンブレンファイバーがフィルター本体に内蔵されて、有効断面積は概略０．０１ｍ２〜０．０１４ｍ２程度が望ましい。
【００６７】
より望ましくはアルブミンの分子量である６６，０００ダルトン(dalton)より小さい４０，０００〜６０，０００ダルトンの分子量を持つ物質を残留させることができるメッシュを持つことが望ましい。ここで、メンブレンは血液透析用メンブレンであることが望ましい。
【００６８】
次に、段階（Ｓ１５）及び段階（Ｓ１６）を反復施行する（Ｓ１７）。第１空間（１２５）に収集されて出口部（１２３）を通じて外部で排出される一定粒径以下の成分の排出量がすべて排出されるときまで反復施行することになる。このように、第１注射器（１００）及び第２注射器（１１０）にかわるがわる受容されるように流動する血漿は水または、水を含んだ一定粒径以下の成分が分離されて高濃縮血漿に変わることになる。
【００６９】
最後に、メンブレン（１２４）を通過できなくて、メンブレンの内部である中空に残存する一定粒径を超過する成分である高濃縮血漿を別途採集する（Ｓ１８）。このときには第１注射器を十分に加圧して第２注射器に一定粒径を超過する成分が完全に受容されるようにする。もちろん、第２注射器を加圧して第１注射器に一定粒径を超過する成分を受容することもできる。
【００７０】
このような過程は従来の血小板少量血漿で血小板濃縮血漿を得ることとは違って全血で赤血球を排出した血漿から得た高濃縮血漿を得るためのもので、従来の血小板濃縮血漿（ＰＲＰ）及び濃縮血漿を採集するための遠心分離及びフィルタリング工程よりさらに工程が単純化されて、高濃度血小板を含む濃縮血漿は濃度及び成分面で従来方法で得ることができることよりさらに高純度の多い量を採集することができる。
【００７１】
＜方法２＞
本発明により全血を１次遠心分離して赤血球を分離して、第１注射器に採集されたバフィーコートと血漿をメンブレンフィルターに通過させて高濃縮血漿を抽出する方法に対し添付された図面を参照して詳しく説明する。
【００７２】
図７は図２の装置を利用した高濃縮血漿を抽出する別の方法が概略的に図示された流れ図である。
【００７３】
先に、第１注射器（１００）に全血を採集する（Ｓ２０）。次に、第１注射器に遠心分離チューブ（２００）を装着して、遠心分離する（Ｓ２１）。第１注射器の第１排出部（１０４）に遠心分離チューブを装着して、第１注射器と遠心分離チューブを遠心分離する。これを通じて全血は赤血球（ＲＢＣ）、バフィーコートを含んだ血小板濃縮血漿（ＰＲＰ）及び血小板少量血漿（ＰＰＰ）の層に区分される。このとき、赤血球は遠心分離チューブに受容される。
【００７４】
ここで、遠心分離チューブ（２００）の内部受容空間は全血から区分される赤血球の量を考慮して形成される。すなわち、赤血球は遠心分離チューブに受容されて、第１注射器（１００）の第１排出部（１０４）部位にはバフィーコートが位置することになる。
【００７５】
次に、赤血球が受容された遠心分離チューブ（２００）を分離して第１注射器（１００）にバフィーコートが含まれた血漿を残存させる（Ｓ２２）。遠心分離以後赤血球は遠心分離チューブに受容された状態で、この遠心分離チューブを第１注射器から分離すれば良い。従って、第１注射器にはバフィーコートを含んだ血漿が採集された状態である。
【００７６】
次に、メンブレンフィルター（１２０）に形成された一組の入口部（１２２）にそれぞれ第１注射器（１００）及び第２注射器（１１０）を装着する（Ｓ２３）。このとき、メンブレンフィルターの一側入口部（１２２）に第１注射器の第１排出部（１０４）を装着して、メンブレンフィルターの他方入口部（１２２）に第２注射器の第２排出部（１１４）を装着する。
【００７７】
次に、圧力を加えて第１注射器（１００）内のバフィーコートが含まれた血漿をメンブレンフィルターに注入して第２注射器（１１０）で流動させる（Ｓ２４）。ここで、メンブレンフィルターに流入された血漿はメンブレン（１２４）の中空の部分をすぎて流動することになる。
【００７８】
このとき、血漿から水または水、尿酸、カリウム及び燐酸塩などを含んだ一定粒径以下の成分と、蛋白質及びアルブミンなどを含んだ一定粒径を超過する成分を分離する。すなわち、一定粒径以下の成分は第１空間（１２５）に収集された後出口部（１２３）を通じて外部で排出されて、一定粒径以上の成分は血漿に残存して第２注射器で流動することになる。
【００７９】
次に、第２注射器（１１０）に受容された血漿を再びメンブレンフィルターに注入して第１注射器（１００）で流動させる（Ｓ２５）。もちろん、この過程でも前記の段階（Ｓ２４）と同じ作用が繰り返される。ここで、メンブレン（１２４）はアルブミンの分子量である６６、０００ダルトン(dalton)より小さい４０，０００〜６０，０００ダルトンの分子量を残留させることができるメッシュを持つことが望ましい。
【００８０】
次に、段階（Ｓ２４）及び段階（Ｓ２５）を反復施行する（Ｓ２６）。 第１空間（１２５）に収集されて出口部（１２３）を通じて外部で排出される一定粒径以下の成分の排出量がすべて排出されるときまで反復施行することになる。このように、第１注射器（１００）及び第２注射器（１１０）にかわるがわる受容されるように流動する血漿は水または、水を含んだ一定粒径以下の成分が分離されて高濃縮血漿に変わることになる。
【００８１】
最後に、メンブレン（１２４）を通過できなくて、メンブレンの内部である中空に残存する一定粒径を超過する成分である高濃縮血漿を別途採集する（Ｓ２７）。このときには第１注射器を十分に加圧して第２注射器に一定粒径を超過する成分が完全に受容されるようにする。もちろん、第２注射器を加圧して第１注射器に一定粒径を超過する成分を受容することもできる。
【００８２】
このような過程を通じて得た高濃縮血漿は濃度及び成分面で従来の遠心分離及びフィルタリングで得ることができるそれよりさらに高純度の多い量を採集することができる。
【００８３】
＜方法３＞
本発明により全血を１次遠心分離して赤血球を分離して、第１注射器に採集されたバフィーコートと血漿を２次遠心分離して再度赤血球を分離した後、メンブレンフィルターに通過させて高濃縮血漿を抽出する方法に対し添付された図面を参照して詳しく説明する。
【００８４】
図８は図２及び図５の装置を利用した高濃縮血漿を抽出する方法が概略的に図示された流れ図である。
【００８５】
先に、第１注射器（１００）に全血を採集する（Ｓ３０）。
次に、第１注射器に遠心分離チューブ（２００）を装着して、遠心分離する（Ｓ３１）。第１注射器の第１排出部（１０４）に遠心分離チューブを装着して、第１注射器と遠心分離チューブを遠心分離する。
【００８６】
これを通じて全血を赤血球（ＲＢＣ）、バフィーコートを含んだ血小板濃縮血漿（ＰＲＰ）及び血小板少量血漿（ＰＰＰ）の層に区分される。このとき、赤血球は遠心分離チューブ（２００）に受容される。ここで、遠心分離チューブの内部受容空間は全血から区分される赤血球の量を考慮して形成される。すなわち、赤血球は遠心分離チューブに受容されて、第１注射器（１００）の第１排出部（１０４）部位にはバフィーコートが位置することになる。
【００８７】
次に、赤血球が受容された遠心分離チューブ（２００）を分離して第１注射器（１００）にバフィーコートが含まれた血漿を残存させる（Ｓ３２）。１次遠心分離以後赤血球は遠心分離チューブに受容された状態で、この遠心分離チューブを第１注射器から分離する。したがって、第１注射器にはバフィーコートを含んだ血漿が採集された状態である。
【００８８】
次に、第１注射器（１００）にキャップ（３００）を装着して、２次遠心分離する（Ｓ３３）。１次遠心分離以後第１注射器の第１排出口（１０４）にキャップを装着して、第１注射器とキャップを遠心分離する。これを通じて第１注射器に受容されたバフィーコートが含まれた血漿から微量の赤血球が分離される。２次遠心分離以後キャップ（３００）に少量の赤血球が受容されて、このキャップ（３００）を第１注射器（１００）から分離する。
【００８９】
次に、赤血球が受容されたキャップ（３００）を分離する（Ｓ３４）。２次遠心分離以後赤血球はキャップ（３００）に受容された状態で、このキャップを第１注射器から分離する。したがって、第１注射器には赤血球が完全除去された濃厚な黄色の濃縮血漿が採集された状態である。
【００９０】
次に、メンブレンフィルター（１２０）に形成された一組の入口部（１２２）にそれぞれ第１注射器（１００）及び第２注射器（１１０）を装着する（Ｓ３５）。このとき、メンブレンフィルターの一側入口部（１２２）に第１注射器の第１排出部（１０４）を装着して、メンブレンフィルターの他側入口部（１２２）に第２注射器の第２排出部（１１４）を装着する。
【００９１】
次に、圧力を加えて第１注射器（１００）内の濃縮血漿をメンブレンフィルター（１２０）に注入して第２注射器（１１０）で流動させる（Ｓ３６）。ここで、メンブレンフィルター（１２０）に流入された濃縮血漿はメンブレン（１２４）の中空の部分をすぎて流動することになる。このとき、濃縮血漿から水または水、尿酸、カリウム及び燐酸塩などを含んだ一定粒径以下の成分と、蛋白質及びアルブミンなどを含んだ一定粒径を超過する成分を分離する。
【００９２】
即ち、一定粒径以下の成分は第１空間（１２５）に収集された後出口部（１２３）を通じて外部で排出されるし、一定粒径以上の成分は濃縮血漿に残存して第２注射器（１１０）で流動することになる。
【００９３】
次に、第２注射器（１１０）に受容された濃縮血漿を再びメンブレンフィルター（１２０）に注入して第１注射器（１００）で流動させる（Ｓ３７）。もちろん、この過程でも前の段階（Ｓ１５）と同じ作用が繰り返される。ここで、メンブレン（１２４）のメッシュは４０，０００〜６０，０００ダルトンにして、この大きさのメッシュを通じて６６，０００ダルトンの分子の大きさのアルブミンが血漿に残存するようにする。
【００９４】
次に、段階（Ｓ３６）及び段階（Ｓ３７）を反復施行する（Ｓ３８）。第１空間（１２５）に収集されて出口部（１２３）を通じて外部で排出される一定粒径以下の成分の排出量がすべて排出されるときまで反復施行することになる。このように、第１注射器及び第２注射器にかわるがわる受容されるように流動する血漿は水または、水を含んだ一定粒径以下の成分が分離されて高濃縮血漿に変わることになる。
【００９５】
最後に、メンブレン（１２４）を通過できなくて、メンブレンの内部である中空に残存する一定粒径を超過する成分である高濃縮血漿を別途採集する（Ｓ２７）。このときには第１注射器を十分に加圧して第２注射器に一定粒径を超過する成分が完全に受容されるようにする。もちろん、第２注射器を加圧して第１注射器に一定粒径を超過する成分を受容することもできる。
【００９６】
このような過程を通じて得た高濃縮血漿は濃度及び成分面で従来の遠心分離及びフィルタリングで得ることができるそれよりさらに高純度の多い量を採集することができる。また、＜方法1＞と＜方法２＞では１回の遠心分離が実行されることによって、血漿内に少量の赤血球が残存する状態だが＜方法３＞で２回の遠心分離が実行されることによって、血漿内の赤血球は完全に抜け出た状態で、濃い黄色の濃縮血漿を採集することができる。
【００９７】
＜メンブレンフィルターの変形例＞
本発明のメンブレンフィルターの変形例に対して添付された図面を参照して詳しく説明する。
【００９８】
図９は図３に図示されたメンブレンフィルターの変形例が概略的に図示された側断面図である。以下では図３に図示されたメンブレンフィルターで記載された同じ機能をする同じ構成要素に対して同じ参照符号を付与した同じ部材であることを現わす。また、変形例を説明しながら図３のメンブレンフィルターと同じ構成要素に対してはその説明が必要であれば簡略に言及することにして、特に相異なった構造に対して重点的に説明する。
【００９９】
図９のメンブレンフィルター(１２０’)は本体（１２１’）、入口部（１２２）、出口部（１２３）、第２空間（１２６）、メンブレン（１２４’）及び収集部（１２７）が含まれて成り立つ。このメンブレンフィルター（１２０’）は図３のそれと同じ機能をする同じ部材として、ただしその構造が変形された例である。
【０１００】
まず、本体（１２１’）は概略四角形状で、上部に入口部（１２２）が形成されて、下部に出口部（１２３）が形成されて、内部下側にメンブレン（１２４’）が内蔵されて、内部上側に第２空間（１２６）が形成されて、第２空間（１２６）と外部を通じるようにする収集部（１２７）が形成される。
【０１０１】
また、入口部（１２２）は上部に一つまたは、多数形成されて、望ましく上部一側に本体（１２１’）から上向きで１個が形成される。この入口部（１２２）には第１注射器（１００）の第１排出部（１０４）が装着される。
【０１０２】
また、出口部（１２３）は下部に一つまたは、多数形成されて、望ましく下部他方に本体(１２１’)から下側に１個が形成される。このとき、出口部（１２３）の位置は入口部（１２２）の位置と対称になるようにした方が良い。この出口部（１２３）を通じてメンブレン（１２４’）を通過した一定粒径以下の成分が外部で排出される。
【０１０３】
ここで、メンブレン（１２４’）を通過した成分が容易に出口部（１２３）で流動するようにメンブレンフィルター（１２０）の下側内面が出口部（１２３）を向かって下側に傾斜するように形成されることもできる。また、この出口部には一定粒径以下の成分を受容するために別途の注射器が装着されることもできる。
【０１０４】
また、第２空間（１２６）は入口部（１２２）を通過して流入した血漿が一時保存される所で、この第２空間（１２６）に一時保存された血漿を第１注射器で加えられる圧力及び重力によってメンブレン（１２４’）に円滑に通過させるために血漿とメンブレンとの最大接触面積を確保するように形成される。
【０１０５】
この第２空間（１２６）は血漿の成分の中で一定粒径以下の水または、水、尿酸、カリウム及び燐酸塩を含んだ成分だけがメンブレン（１２４’）を通過して、以外の一定粒径を超過する蛋白質及びアルブミンなどを含んだ濃縮血漿を残存させるためである。
【０１０６】
また、メンブレン（１２４’）はメンブレンフィルター（１２０）の内部下側に内蔵される。このメンブレン（１２４’）は図３のメンブレン（１２４）と同じ機能をする同じ部材として、その形態だけ違う。すなわち、メンブレン（１２４’）は一定粒径以下の成分と一定粒径を超過する成分を分離して血漿から濃縮血漿を取り除くための部材である。
【０１０７】
そして、収集部（１２７）は第２空間（１２６）と通じるように形成されて、外部側端部は別途の開閉部材（１２８）により選択的に開閉される。この収集部（１２７）は第２空間（１２６）に受容された血漿の成分中でメンブレン（１２４’）を通過できなくて第２空間（１２６）に残存した一定粒径を超過する蛋白質及びアルブミンなどを含んだ成分である濃縮血漿を外部で排出させるために形成される。
【０１０８】
もちろん、収集部（１２７）は第２空間（１２６）に血漿が受容された状態では開閉部材（１２８）により閉鎖されて、第２空間（１２６）に濃縮血漿だけが残存した状態では開閉部材（１２８）により開放されて濃縮血漿が外部で排出される。
【０１０９】
＜方法４＞
本発明によるメンブレンフィルターの変形例を利用して全血から高濃縮血漿を抽出する方法に対し添付された図面を参照して詳しく説明する。図１０は図９の装置を利用した高濃縮血漿を抽出する方法が概略的に図示された流れ図である。
【０１１０】
先に、第１注射器（１００）に全血（Ｗｂ）を採集する（Ｓ４０）。次に、第１注射器に遠心分離チューブ（２００）を装着して、遠心分離する（Ｓ４１）、第１注射器の第１排出部（１０４）に遠心分離チューブを装着して、第１注射器と遠心分離チューブを遠心分離する。これを通じて全血は赤血球（ＲＢＣ）、バフィーコートを含んだ血小板濃縮血漿（ＰＲＰ）及び血小板少量血漿（ＰＰＰ）の層に区分される。
【０１１１】
このとき、赤血球は遠心分離チューブ（２００）に受容される。ここで、遠心分離チューブの内部受容空間は全血から区分される赤血球の量を考慮して形成される。すなわち、赤血球は遠心分離チューブに受容されて、第１注射器の第１排出部（１０４）部位にはバフィーコートが位置することになる。
【０１１２】
次に、赤血球が受容された遠心分離チューブ（２００）を分離して第１注射器（１００）にバフィーコートが含まれた血漿を残存させる（Ｓ４２）。遠心分離以後赤血球は遠心分離チューブに受容された状態で、この遠心分離チューブを第１注射器から分離すれば良い。したがって、第１注射器にはバフィーコートを含んだ血漿が採集された状態である。
【０１１３】
次に、メンブレンフィルター（１２０’）に形成された入口部（１２２）に第１注射器（１００）を装着する（Ｓ４３）。このとき、メンブレンフィルター（１２０’）の一側入口部（１２２）に第１注射器の第１排出部（１０４）を装着する。
【０１１４】
次に、圧力を加えて第１注射器（１００）内のバフィーコートが含まれた血漿をメンブレンフィルター（１２０’）に注入する（Ｓ４４）。ここで、メンブレンフィルター（１２０’）に流入された血漿で一定粒径以下の水または、水、尿酸、カリウム及び燐酸塩などを含んだ成分はメンブレン（１２４’）を通過して、蛋白質及びアルブミンなどを含んだ一定粒径を超過する成分は第２空間（１２６）に残存することになる。ここで、メンブレンはアルブミンの分子量である６６、０００ダルトン(dalton)より小さい４０，０００〜６０，０００ダルトンの分子量を残留させることができるメッシュを持つことが望ましい。
【０１１５】
最後に、メンブレン（１２４’）を通過できなくて、メンブレンの内部に残存する一定粒径を超過する成分である高濃縮血漿を別に採集する（Ｓ４５）。第２空間（１２６）にある高濃縮血漿を採集するために第１注射器（１００）をメンブレンフィルター（１２０’）から分離させた後、メンブレンフィルターを一方向に傾けて入口部（１２２）または、収集部（１２７）を通じて別途の部材に採集する。このとき、高濃縮血漿を採集する別途の部材は第１注射器や別途の注射器になり得る。
【０１１６】
このような過程を通じて得た高濃縮血漿は濃度及び成分面で従来の遠心分離及びフィルタリングで得ることができるそれよりさらに高純度の多い量を採集することができる。
【０１１７】
以上で説明した通り、本発明が属する技術分野の通常の技術者は本発明がその技術的思想や必須特徴を変更しなくて他の具体積な形態で実施されることができるということを理解できるはずである。したがって前記の実施例はすべての面で例示的なものであり限定的なものではないこととして理解しなければならない。本発明の範囲は詳細な説明よりは後述する特許請求範囲によって現わされて、特許請求の範囲の意味及び範囲そして等価概念から導き出されるすべての変更または、変形された形態が本発明の範囲に含まれると解釈されなければならない。
【符号の説明】
【０１１８】
１００：第１注射器
１１０：第２注射器
１２０：メンブレンフィルター
１２１：本体
１２１ａ：栓
１２２：入口部
１２３：出口部
１２４：メンブレン
１２５：第１空間
１２６：第２空間
１２７：収集部
１２８：開閉部材
２００：遠心分離チューブ
２１０：第１ギャップ
２２０：第１湾曲面
３００：キャップ
３１０：第２ギャップ
３２０：第２湾曲面
【図１】
0005896571.tif 000002
【図２】
0005896571.tif 000003
【図３】
0005896571.tif 000004
【図４】
0005896571.tif 000005
【図５】
0005896571.tif 000006
【図６】
0005896571.tif 000007
【図７】
0005896571.tif 000008
【図８】
0005896571.tif 000009
【図９】
0005896571.tif 000010
【図１０】
0005896571.tif 000011